(57)【要約】【課題】  コネクタ１は、リテーナ３０をコネクタ本体１０に対して傾くことなく所定の位置に組み付けられ、組付作業などの取り扱いを容易とすること。【解決手段】  コネクタ１は、コネクタ本体１０と、リテーナ３０とを備えている。リテーナ３０の検知片３４が、コネクタ本体１０の孔部に配管Ｐが挿入されるとフランジ部Ｐａで弾性変形してリテーナ３０を仮止位置から抜止位置へ移動するのを許容する。また、コネクタ１は、コネクタ本体１０に設けたガイド規制部２３と、リテーナ３０に設けたガイド片３７とからなるガイド機構が設けられている。ガイド機構は、リテーナ３０がコネクタ本体１０に対して仮止位置から抜止位置へ移動するときにガイド片３７を装着方向に導くとともにリテーナ３０がコネクタ本体１０に対して傾くのを規制する。【選択図】        図１
2006234024.tif 000002
【特許請求の範囲】
【請求項１】
フランジ部（Ｐａ）を有する配管（Ｐ）を接続し該配管（Ｐ）が挿入される孔部を有するコネクタ本体（１０）と、該コネクタ本体（１０）に仮止位置で係合するとともに上記配管（Ｐ）が上記孔部に正規の接続位置に挿入されたときに該仮止位置から抜止位置への移動である装着方向に移動可能であり該抜止位置にてフランジ部（Ｐａ）に係合することで配管（Ｐ）をコネクタ本体（１０）に対して抜止するリテーナ（３０）とを備えたコネクタにおいて、
上記リテーナ（３０）は、基板部（３２）の両端から突設されパイプのフランジ部（Ｐａ）と係合する抜止片（３３）を有しコネクタ本体（１０）の外周面の一部を囲むコ字形に形成されたリテーナ本体（３１）と、該リテーナ本体（３１）から突設され上記配管（Ｐ）が上記孔部に挿入されたときに上記フランジ部（Ｐａ）で拡開されるように弾性変形可能でありかつ該リテーナ（３０）を上記仮止位置から上記抜止位置への移動を許容するように弾性変形させる検知片（３４）と、上記リテーナ本体（３１）に上記装着方向に沿って設けられたガイド片（３７）とを有し、
上記コネクタ本体（１０）は、該コネクタ本体（１０）の外周面に、上記リテーナ（３０）が上記コネクタ本体（１０）に対して仮止位置から抜止位置へ移動するときに、上記ガイド片（３７）を上記装着方向に導くとともに上記リテーナ（３０）がコネクタ本体（１０）に対して傾くのを規制するガイド規制部（２３）とを有すること、
を特徴とするコネクタ。
【請求項２】
請求項１に記載のコネクタにおいて、
上記ガイド規制部（２３）は、上記ガイド片（３７）の上記リテーナ（３０）の傾きを規制するように挿脱可能とするガイド溝（２３ｂ）を有するコネクタ。
【発明の詳細な説明】
【技術分野】
【０００１】
本発明は、配管をワンタッチで接続するコネクタに関する。
【背景技術】
【０００２】
従来のコネクタには、例えば特許文献１等に記載されたものが知られている。特許文献１の技術は、コネクタ本体とリテーナを備えている。コネクタ本体は、配管を挿入可能に形成されている。また、リテーナは、コネクタ本体に取付けられて、そのコネクタ本体に挿入された配管を抜け止めする抜止位置へ移動可能とされる。そして、リテーナは、コネクタ本体の正規の接続位置に配管が完全に挿入されたときに抜止位置へ移動させることができ、その配管の挿入が不完全のときは抜止位置への移動が阻止される。したがって、リテーナの抜止位置への移動の可否によって、コネクタ本体の正規の接続位置に配管が完全に挿入されているか否かを確認することができる。
【０００３】
しかし、特許文献１のコネクタは、リテーナをコネクタ本体に組み付けるのに、リテーナがコネクタ本体に対して傾いて取り付けられ易く、また、組み付けた後に外力を受けると傾いて組み付けられるという不具合を生じる。
【０００４】
【特許文献１】特開２００４−３５８８号公報
【発明の開示】
【発明が解決しようとする課題】
【０００５】
本発明は、リテーナがコネクタ本体に対して傾いて取り付けられることがなく、またリテーナに外力が加わっても傾いた状態になることがなく、組付作業などの取り扱いの容易なコネクタを提供することを目的とする。
【課題を解決するための手段】
【０００６】
上記課題を解決するために本発明は、
フランジ部を有する配管を接続し該配管が挿入される孔部を有するコネクタ本体と、該コネクタ本体に仮止位置で係合するとともに上記配管が上記孔部に正規の接続位置に挿入されたときに該仮止位置から抜止位置への移動である装着方向に移動可能であり該抜止位置にてフランジ部に係合することで配管をコネクタ本体に対して抜止するリテーナとを備えたコネクタにおいて、
上記リテーナは、基板部の両端から突設されパイプのフランジ部と係合する抜止片を有しコネクタ本体の外周面の一部を囲むコ字形に形成されたリテーナ本体と、該リテーナ本体から突設され上記配管が上記孔部に挿入されたときに上記フランジ部で拡開されるように弾性変形可能でありかつ該リテーナを上記仮止位置から上記抜止位置への移動を許容するように弾性変形させる検知片と、上記リテーナ本体に上記装着方向に沿って設けられたガイド片とを有し、
上記コネクタ本体は、該コネクタ本体の外周面に、上記リテーナが上記コネクタ本体に対して仮止位置から抜止位置へ移動するときに、上記ガイド片を上記装着方向に導くとともに上記リテーナがコネクタ本体に対して傾くのを規制するガイド規制部とを有すること、を特徴とするコネクタ。
【０００７】
本発明のコネクタによれば、リテーナをコネクタ本体に仮止位置へ組み付けた状態から、コネクタ本体の正規の接続位置に配管が挿入されると、検知片が配管のフランジ部により拡開することでリテーナを弾性変形させて、仮止位置に保持されていたリテーナを抜止位置へ移動させることができる。すなわち、コネクタ本体の正規の接続位置に配管が完全に挿入されないときには、リテーナは、仮止位置に保持されたままとなって、抜止位置へ移動させることができない。よって、配管をコネクタに不完全な状態で接続されることがない。
また、ガイド片とコネクタ本体のガイド規制部は、リテーナをコネクタ本体に対して、装着方向への移動を許容するとともに傾かないように規制するので、リテーナを配管接続部に仮止位置へ組み付けるとき、組み付けられた状態で外力を受けたとき、またはリテーナを仮止位置から抜止位置へ移動するときなどに、リテーナをコネクタ本体の所定の位置に傾くことなく確実に組み付けることができ、取扱性に優れている。
【発明を実施するための最良の形態】
【０００８】
（１）  コネクタ１の概略構成
本発明の一実施例を説明する。図１は本発明の一実施例にかかるコネクタ１を分解して示す斜視図である。コネクタ１は、配管ＰをチューブＴｂに接続するためのものであり、コネクタ本体１０と、リテーナ３０とを備えている。配管Ｐは、樹脂製または金属製でほぼ丸パイプ状に形成されている。配管Ｐの先端面から所定間隔を隔てた位置の外周面上には、環状に突出するバルジ部からなるフランジ部Ｐａが形成されている。以下、コネクタ本体１０、リテーナ３０を順に説明する。
【０００９】
（２）  コネクタ１の各部の構成
（２）−１  コネクタ本体１０
図２はコネクタ本体１０を示す縦断面図であり、図３は図２の３−３線に沿った断面図である。図１ないし図３において、コネクタ本体１０は、例えば樹脂製で、ほぼ円筒状に形成されている。コネクタ本体１０の一端部は、配管Ｐを接続する配管接続部１１となっており、その他端部は、例えば合成樹脂製のチューブＴｂが圧入によって装着されるチューブ接続部１２となっている。なお、以下、コネクタ１の配管接続部１１の側を前側、チューブ接続部１２の側を後側として、以下の説明を行なう。
【００１０】
コネクタ本体１０内の中空部は、後方から前方に向かって内径を段階的に大きくする段付孔状をなす第１ないし第４の孔部１３〜１６によって形成されている。第３の孔部１５内には、前後２個のＯリング１７，１７が配置されているとともに、Ｏリング１７，１７の間に位置する樹脂製のスペーサリング１８が固定されている。コネクタ本体１０内には、第３の孔部１５と第４の孔部１６にまたがって樹脂製のストッパリング１９が固定されている。なお、後側のＯリング１７はスペーサリング１８によって抜け止めされており、前側のＯリング１７はストッパリング１９によって抜け止めされている。
【００１１】
図１に示すように、上記コネクタ本体１０の配管接続部１１の外周面には、その前側から後方に向かって所定間隔を隔てて平行に並ぶ第１および第２の規制フランジ２１，２２が形成されている。第１および第２の規制フランジ２１，２２は、上下を平らにした側縁部を有しかつほぼ円板状に形成されている。
上記配管接続部１１の上半部には、第１の規制フランジ２１と第２の規制フランジ２２との間の前半部分に位置する左右１対の差込孔２６が左右対称に形成されている。差込孔２６の間は、仕切り部１１ｃになっている。また、配管接続部１１の下半部には、差込孔２６に対応する左右１対の受入孔２８が左右対称に形成されている。各々の受入孔２８の上半部には、上方に向けて突出する係合爪２９がそれぞれ形成されている。また、係合爪２９の下縁部は、配管接続部１１の内周面に沿っており、さらに下部には係合端２４が形成されている。
【００１２】
また、第１および第２の規制フランジ２１，２２の間であって、配管接続部１１の側面１１ａの両側には、ガイド規制部２３がそれぞれ形成されている。ガイド規制部２３は、リテーナ３０を装着方向へガイドするための機構であり、第２の規制フランジ２２の前面から突設されたガイド突部２３ａと、ガイド規制部２３と側面１１ａとの間で所定間隙を隔てることにより形成されたガイド溝２３ｂとにより構成されている。
【００１３】
（２）−２  リテーナ３０
図４はリテーナ３０を示す正面図、図５はリテーナ３０の側面図、図６は図４の６−６線に沿った断面図である。図１および図４ないし図６において、リテーナ３０は、弾性変形可能な樹脂製であり、配管接続部１１の外周部の一部を囲むコ字形に形成されたリテーナ本体３１を備えている。リテーナ本体３１は、平板状の基板部３２の両側から下方に突設された左右１対の抜止片３３、検知片３４およびガイド片３７を備えている。
基板部３２は、ほぼ平板状に形成されており、コネクタ本体１０における第１の規制フランジ２１と第２の規制フランジ２２との間にその上方から嵌合可能に形成されている。
抜止片３３は、基板部３２の前端部からそれぞれ左右対称でかつ下方へ延びる長細板状に形成されている。抜止片３３の相互間には、逆Ｕ字状をなしかつ配管Ｐを径方向に受入可能な係止溝３８が形成されている。抜止片３３は、上記コネクタ本体１０の差込孔２６（図１参照）に上方から差込可能になっている。また、上記リテーナ３０が仮止位置にあるときは、抜止片３３が上方へ後退している。また、抜止片３３の上端部の相互間には、割込み溝３９が形成されている。割込み溝３９は、コネクタ本体１０における差込孔２６の間の仕切り部１１ｃ（図１）を相対的に受入れ可能に形成されている。
検知片３４は、基板部３２の前半部の左右両端部からそれぞれ左右対称でかつ下方へ延びる長細板状に形成されている。検知片３４は、コネクタ本体１０における第１の規制フランジ２１と第２の規制フランジ２２との間に上方から下方へスライド可能に配置されている。検知片３４は、下端部を拡げる方向へ弾性変形すなわち撓み変形可能に形成されている。検知片３４の下端部には、ほぼ四角形板状の検知突起３５が対向状に突出されている。
【００１４】
図４および図６に示すように、検知突起３５の内面側には、先端に向かって拡がるように傾斜する第１のガイド斜面３５ａと、その前面側には先端から後方へ傾斜する第２のガイド斜面３５ｂが形成されている。検知突起３５は、検知片３４の弾性変形を利用して、図１に示すコネクタ本体１０の受入孔２８に入り込んで係合爪２９に係合可能になっており、この状態では、検知突起３５の先端部が配管接続部１１内に突出する。
【００１５】
図１および図５に示すように、ガイド片３７は、コネクタ本体１０のガイド規制部２３とともにガイド機構を構成するものであり、基板部３２の左右両端部からそれぞれ左右対称でかつ下方へ延びる長細板状であり、先端が先細りに形成されており、検知片３４が弾性変形により拡開しても開かないようにスリット３７ａで分離されている。ガイド片３７は、ガイド規制部２３のガイド溝２３ｂ内に挿入されることにより、リテーナ３０をコネクタ本体１０に対して装着方向に移動する際に傾かないように規制している。
【００１６】
（３）  コネクタ１の接続作業
（３）−１  上記のように構成されたコネクタ１は、以下のようにして使用される。図７はコネクタ本体１０にリテーナ３０を仮止位置に組み付けた状態を示す斜視図、図８は図７の矢印ｄ８から見た図である。リテーナ３０をコネクタ本体１０に仮止位置に組み付けるには、リテーナ３０の抜止片３３を差込孔２６に、ガイド片３７をガイド規制部２３のガイド溝２３ｂにそれぞれ位置合わせするとともに、両方の検知片３４で配管接続部１１の外周面を挟んだ状態にて基板部３２を下方へ押し込む。これにより、抜止片３３が差込孔２６内に、ガイド片３７がガイド規制部２３内に挿入されつつリテーナ３０の傾きを規制しつつリテーナ３０を装着方向へ移動させる。そして、検知突起３５も配管接続部１１の外周部に倣うが、検知突起３５の第１のガイド斜面３５ａが配管接続部１１の外周面に沿って摺動すると、検知片３４を拡げる方向へ弾性変形させる。その弾性変形された検知片３４は、検知突起３５が受入孔２８に突入することによって弾性復元し、検知突起３５の係止凹所３５ｃ（図４参照）が受入孔２８の係合爪２９に係合する。この状態では、検知突起３５の受入孔２８による拘束および係止凹所３５ｃと係合爪２９との係合によって、リテーナ３０の上下動が規制された状態になる。
【００１７】
（３）−２  図９はコネクタ本体１０に配管Ｐを挿入した状態を示す断面図である。図９に示すように、配管Ｐをコネクタ１に接続するには、コネクタ本体１０の配管接続部１１内に配管Ｐを挿入する。このとき、配管Ｐのフランジ部Ｐａがストッパリング１９の前端面に当接することにより、配管Ｐがコネクタ本体１０の正規の接続位置に完全に挿入される。この状態では、配管Ｐは、ストッパリング１９、前側のＯリング１７、スペーサリング１８及び後側のＯリング１７を順次貫通する。このとき、配管Ｐの先端部は、コネクタ本体１０の第２の孔部１４内に達する。また、配管Ｐの外周面には、Ｏリング１７，１７が弾性変形を利用して接触し、配管Ｐとコネクタ本体１０との相互間のシール性が確保される。
【００１８】
図１０に示すように配管Ｐがコネクタ本体１０の正規の接続位置に挿入されると、図１１に示すように、配管Ｐのフランジ部Ｐａがリテーナ３０における検知片３４の検知突起３５の第２のガイド斜面３５ｂに当接しつつ摺動する。これにより、検知片３４が拡げられる方向に弾性変形され、検知片３４の検知突起３５が受入孔２８の係合爪２９から側方へずれる。これにより、受入孔２８の係合爪２９に対する検知突起３５の下面の係合が解除されるため、リテーナ３０の下方への移動が可能になる。すなわち、配管Ｐがコネクタ本体１０の正規の接続位置に挿入されることで、初めて、受入孔２８の係合爪２９に対する検知突起３５の係合が解除されて、リテーナ３０を下方へ移動させることができる。
【００１９】
続いて、図１２に示すようにリテーナ３０の基板部３２を下方へ押し込むと、リテーナ３０が下方へ移動する。このとき、ガイド片３７がガイド規制部２３のガイド溝２３ｂに挿入されているのでリテーナ３０を傾かせることなく、リテーナ３０がコネクタ本体１０に対して装着方向へ移動する。そして、図１３に示すように、検知片３４の検知突起３５が、コネクタ本体１０の側面１１ａに沿って摺動しつつ下降し、最終的には係合端２４に達することで検知片３４が弾性復元する。そして、検知突起３５が係合端２４に係合することにより、リテーナ３０の上動が規制される。これとともに、コネクタ本体１０の仕切り部１１ｃにリテーナ３０の割込み溝３９が相対的に係入され、基板部３２がコネクタ本体１０の上側面と対面することにより、リテーナ３０の下動が規制されるとともに、割込み溝３９によって左右の動きも規制される。リテーナ３０が抜止位置に移動されると、抜止片３３が配管Ｐに対してフランジ部Ｐａの反挿入側すなわち前側おいて係合する。これによって、配管Ｐは、抜け方向の移動が規制され、コネクタ本体１０に対して抜止めされてコネクタ１に接続される。
【００２０】
（４）  コネクタ本体１０の作用・効果
（４）−１  上記コネクタ１によれば、コネクタ本体１０の正規の接続位置に配管Ｐが挿入されることにより、受入孔２８の係合爪２９と検知片３４とによる係合が解除され、仮止位置に保持されていたリテーナ３０を抜止位置へ移動させることができる。すなわち、コネクタ本体１０の正規の接続位置に配管Ｐが完全に挿入されないとき、受入孔２８の係合爪２９と検知片３４とによる係合が解除されないから、リテーナ３０は、仮止位置に保持されたままとなって、抜止位置へ移動させることができない。よって、配管Ｐをコネクタ１に不完全な状態で接続されることがない。
【００２１】
（４）−２  図１４はガイド機構の付近の断面図である。ガイド片３７とコネクタ本体１０のガイド規制部２３とを備えるガイド機構は、リテーナ３０をコネクタ本体１０に対して、装着方向への移動を許容するとともに傾かないように規制しているので、以下の作用・効果を奏する。ガイド機構は、リテーナ３０を配管接続部１１に仮止位置へ組み付けるときに、リテーナ３０をコネクタ本体１０に対して傾かせないで装着方向へガイドするので、リテーナ３０がコネクタ本体１０に対して誤った状態にて組み付けられることがない。
また、リテーナ３０がコネクタ本体１０に仮止位置に組み付けられた状態にて、リテーナ３０に外力が加わっても、ガイド機構がリテーナ３０の傾きを規制するから、誤った組付にならず、再度の組付作業も不要である。
さらにガイド機構は、リテーナ３０を仮止位置から抜止位置へ移動するときにも、リテーナ３０を傾かないようにガイドするから、リテーナ３０を確実に抜止位置に移動することができる。
【００２２】
（４）−３  配管Ｐをコネクタ１への組付を終えた状態にて、コネクタ１を回動させる外力（こじり）が加わっても、コネクタ本体１０の仕切り部１１ｃにリテーナ３０の割込み溝３９が係合しているので、リテーナ３０の傾きおよび検知片３４の開きを確実に防止でき、上記ガイド機構の回転防止効果と相まって、こじりに対するリテーナ３０自身の抜止をより確実にすることができる。
【００２３】
なお、この発明は上記実施例に限られるものではなく、その要旨を逸脱しない範囲において種々の態様において実施することが可能である。
【図面の簡単な説明】
【００２４】
【図１】本発明の一実施例にかかるコネクタを分解して示す斜視図である。
【図２】コネクタ本体を示す縦断面図である。
【図３】図２の３−３線に沿った断面図である。
【図４】リテーナを示す正面図である。
【図５】リテーナの側面図である。
【図６】図４の６−６線に沿った断面図である。
【図７】コネクタ本体にリテーナを仮止位置に組み付けた状態を示す斜視図である。
【図８】図７の矢印ｄ８から見た図である。
【図９】コネクタ本体に配管を挿入した状態を示す断面図である。
【図１０】コネクタ本体に配管を挿入した状態を示す斜視図である。
【図１１】コネクタ本体に配管を挿入したときのリテーナの動作を説明する説明図である。
【図１２】コネクタ本体に配管を接続した状態を示す斜視図である。
【図１３】リテーナの動作を説明する説明図である。
【図１４】ガイド機構の作用を説明する説明図である。
【符号の説明】
【００２５】
１...コネクタ
１０...コネクタ本体
１１...配管接続部
１１ａ...側面
１１ｃ...仕切り部
１２...チューブ接続部
１３...第１の孔部
１４...第２の孔部
１５...第３の孔部
１６...第４の孔部
１７...Ｏリング
１８...スペーサリング
１９...ストッパリング
２１，２２...第１および第２の規制フランジ
２３...ガイド規制部
２３ａ...ガイド突部
２３ｂ...ガイド溝
２４...係合端
２６...差込孔
２８...受入孔
２９...係合爪
３０...リテーナ
３１...リテーナ本体
３２...基板部
３３...抜止片
３４...検知片
３５...検知突起
３５ａ...第１のガイド斜面
３５ｂ...第２のガイド斜面
３５ｃ...係止凹所
３７...ガイド片
３７ａ...スリット
３８...係止溝
３９...割込み溝
Ｐ...配管
Ｐａ...フランジ部
Ｔｂ...チューブ
【図１】
2006234024.tif 000003
【図２】
2006234024.tif 000004
【図３】
2006234024.tif 000005
【図４】
2006234024.tif 000006
【図５】
2006234024.tif 000007
【図６】
2006234024.tif 000008
【図７】
2006234024.tif 000009
【図８】
2006234024.tif 000010
【図９】
2006234024.tif 000011
【図１０】
2006234024.tif 000012
【図１１】
2006234024.tif 000013
【図１２】
2006234024.tif 000014
【図１３】
2006234024.tif 000015
【図１４】
2006234024.tif 000016